(57)【要約】【課題】例えば建築物や構築物の柱等の構造躯体に取付けられる壁パネルの取付構造に係り、クリップ金具の回動を阻止する回動防止金具の装着が容易で、クリップ金具を取付けるボルトが万一緩んでもクリップ金具の回動を簡単かつ確実に阻止できるようにする。【解決手段】クリップ金具１の一端側をボルト３で壁パネルＰに取付け、そのクリップ金具の他端側と壁パネルとの間に、建物躯体または建物躯体に取付けたパネル支持板を挟んで壁パネルを建物躯体の側面に取付けるようにした壁パネルの取付構造であって、クリップ金具１と壁パネルＰとの間に断面コ字形の回動防止金具２を配置し、そのコ字形回動防止金具の対向片２ｂ・２ｂ間にクリップ金具を位置させた状態で、回動防止金具とクリップ金具とを、それらを貫通するボルト３で壁パネルに取付けると共に、回動防止金具２を壁パネルＰに固定具５で回り止め固定したことを特徴とする。【選択図】  図２
2010180541.tif 000002
【特許請求の範囲】
【請求項１】
クリップ金具の一端側をボルトで壁パネルに取付け、そのクリップ金具の他端側と壁パネルとの間に、建物躯体または建物躯体に取付けたパネル支持板を挟んで上記壁パネルを上記建物躯体の側面に取付けるようにした壁パネルの取付構造であって、
上記クリップ金具と壁パネルとの間に断面コ字形の回動防止金具を配置し、そのコ字形回動防止金具の対向片間に上記クリップ金具を位置させた状態で、上記回動防止金具とクリップ金具とを、それらを貫通するボルトで上記壁パネルに取付けると共に、上記回動防止金具を壁パネルに固定具で回り止め固定したことを特徴とする壁パネルの取付構造。
【請求項２】
上記固定具として釘またはねじを用い、上記回動防止金具に形成した挿通孔から上記壁パネル内に挿入して固定するようにした請求項１に記載の壁パネルの取付構造。
【請求項３】
上記回動防止金具の一端を上記建物躯体またはパネル支持板に当接させた状態で上記回動防止金具を壁パネルに回り止め固定するようにした請求項１〜３のいずれかに記載の壁パネルの取付構造。
【発明の詳細な説明】
【技術分野】
【０００１】
本発明は、例えば建築物や構築物の柱や間柱等の構造躯体（建物躯体）に外壁材や防護壁などとして取付けられる壁パネルの取付構造に関する。更に詳しくは、例えばＡＬＣ（軽量気泡コンクリート）パネルや押出成形セメント板などよりなる壁パネルを構造躯体に取付けるための壁パネル取付構造に関するものである。
【背景技術】
【０００２】
従来、例えばＡＬＣパネル等の壁パネルを柱や間柱等の構造躯体に取付ける場合、いわゆるイナズマプレートや段付取付板またはＺクリップ等と称するクリップ金具を壁パネルに取付け、そのクリップ金具と壁パネルとの間に、構造躯体に取付けた、いわゆる定規アングルや通しアングル等と称するアングル材の一方の片を挟んで、上記クリップ金具を貫通するボルトで締め付け固定することによって、上記壁パネルを構造躯体に取付け支持させるようにしたものは知られている（例えば下記特許文献１，２参照）。
【０００３】
ところが、上記のようにクリップ金具と壁パネルとの間にアングル材を挟んでボルトで締め付け固定するものは、取付後に地震やその他の振動でボルトが次第に緩んでクリップ金具がボルトを中心に回動するおそれがある。特に、クリップ金具のアングル材を挟む側の端部が他の端部よりも上記ボルトの位置から大きく張り出し、かつ上記アングル材を挟む側の端部が上記ボルトの位置よりも上側または横方向にある場合には、上記クリップ金具が回動し易く、しかも回動すると、アングル材との係合状態が外れてパネルが落下する等のおそれがある。
【０００４】
そのため、従来は上記クリップ金具をアングル材に溶接することによって、万一ボルトが緩んでもクリップ金具が回動しないようにしているが、そのクリップ金具の溶接作業は現場で行わなければならず、しかも数が多いため極めて煩雑かつ面倒で施工コストが増大するだけでなく、溶接による熱でクリップ金具が部分的に変質もしくは劣化して耐久性が低下する等のおそれがある。また上記クリップ金具の回動防止手段として、上記ような溶接の他に例えばクリップ金具の取付孔を複数個設けて、その各取付孔にボルトを挿通して取付けることが考えられるが、その場合にはボルトだけでなく、それを螺合するアンカーやインサートナット等も予めパネル内に複数個埋設しておかなければならず、パネルの製造コストが増大すしたり、クリップ金具が大型化する等の不都合がある。
【０００５】
そこで、下記特許文献３においては、上記アングル材と壁パネル（成形板）との間に回転防止板等の回動防止金具を装着することが提案されている。その回動防止金具は、薄板状本体の一方の端部に弾性片、他方の端部に係止片をそれぞれ形成して、その弾性片と係止片との間にアングル材を挟む構成とし、上記係止片の両側方に折り曲げ可能に設けた回転阻止片を、それぞれクリップ金具の両側位置に折り曲げることによって、上記クリップ金具の回動を阻止する構成である。
【先行技術文献】
【特許文献】
【０００６】
【特許文献１】実開平６−３５４３０号公報
【特許文献２】特開２００１−１４６８０２号公報
【特許文献３】特開２００３−７４１６６号公報
【発明の概要】
【発明が解決しようとする課題】
【０００７】
しかしながら、上記特許文献３のように壁パネルを取付けるアングル材と、壁パネルとの間に回動防止金具を装着するものは、上記アングル材の側方の所定位置に壁パネルを設置してから、回動防止金具をアングル材に装着しようとすると、壁パネルが邪魔になって装着しづらく、また壁パネルの設置位置によっては回動防止金具を装着できないおそれがある。そこで、回動防止金具を予めアングル材に装着してから、壁パネルを設置すると、往々にして上記回動防止金具に手指や衣服等が触れて脱落するおそれがある。
【０００８】
また上記従来の回動防止金具は、その金具に設けた弾性片と係止片との間にアングル材を挟んで装着する構成であるから、アングル材の大きさが異なると、装着不能であり、またＨ型鋼やＩ型鋼などよりなる構造体に直接装着することはできない。さらに上記回動防止金具の弾性片と係止片との間にアングル材を挟んで固定する際、その狭持力が強いと、クリップ金具を取付ける際、それに合わせて回動防止金具の位置を移動したり微調整するのが困難となり、逆に狭持力が弱いと、万一ボルトとが緩んでクリップ金具が回動したとき、それと共に回動防止金具がアングル材に沿って移動してしまうおそれがある。特に、アングル材の長手方向を上下方向に配置し、そのアングル材にクリップ金具を横方向から挟み付ける場合には、ボルトが僅かに緩んだだけでも、回動防止金具が下方にずれ落ちるおそれがある。
【０００９】
本発明は上記の問題点に鑑みて提案されたもので、上記アングル材等の壁パネルを支持する板状体（以下、パネル支持板という）への回動防止金具の装着が容易で、しかもクリップ金具を取付けるボルトが万一緩んでもクリップ金具の回動やずれを簡単かつ確実に阻止することのできる壁パネルの取付構造を提供することを目的とする。
【課題を解決するための手段】
【００１０】
上記の目的を達成するために本発明による壁パネルの取付構造は、以下の構成としたものである。即ち、クリップ金具の一端側をボルトで壁パネルに取付け、そのクリップ金具の他端側と壁パネルとの間に、建物躯体または建物躯体に取付けたパネル支持板を挟んで上記壁パネルを上記建物躯体の側面に取付けるようにした壁パネルの取付構造であって、上記クリップ金具と壁パネルとの間に断面コ字形の回動防止金具を配置し、そのコ字形回動防止金具の対向片間に上記クリップ金具を位置させた状態で、上記回動防止金具とクリップ金具とを、それらを貫通するボルトで上記壁パネルに取付けると共に、上記回動防止金具を壁パネルに固定具で回り止め固定したことを特徴とする。
【００１１】
上記固定具としては、例えば釘またはねじを用い、上記回動防止金具に形成した挿通孔から上記壁パネル内に挿入して固定するようにすればよい。また上記回動防止金具は、その一端を建物躯体またはパネル支持板に当接させた状態で回り止め固定するとよく、そのようにすると、回動防止金具およびクリップ金具の回動やずれをより確実に防止することが可能となる。
【発明の効果】
【００１２】
上記のように本発明による壁パネルの取付構造は、クリップ金具と壁パネルとの間に断面コ字形の回動防止金具を配置し、そのコ字形回動防止金具の対向片間にクリップ金具を位置させた状態で、回動防止金具とクリップ金具とを、それらを貫通するボルトで壁パネルに取付けると共に、回動防止金具を壁パネルに固定具で回り止め固定するようにしたから、前記従来のようにアングル材と壁パネルとの間に回動防止金具を介在させる場合のように、壁パネルをパネル支持板近傍の所定の取付位置に配置する際に回動防止金具が邪魔になったり、パネル設置後に回動防止金具の取付けが困難になるようなことがなく、壁パネルを所定の取付位置に配置してからでも上記回動防止金具を設置することができる。
【００１３】
また本発明による回動防止金具は、壁パネルに回り止め固定する構成であるから、パネル支持板の大きさの如何に拘わらず適用可能であり、またＨ型鋼やＩ型鋼などよりなる構造躯体に壁パネルを直接取付ける場合にも使用することができる。しかも上記のように固定具によって壁パネルに直接回り止め固定するので簡単・確実に回り止め固定することが可能となり、耐久性および信頼性の高い壁パネルの取付構造を容易・安価に提供できる等の効果が得られる。
【図面の簡単な説明】
【００１４】
【図１】（ａ）は本発明による壁パネル取付構造の一実施形態を示す平面図、（ｂ）はその正面図、（ｃ）はその側面図。
【図２】（ａ）及び（ｂ）はそれぞれ図２（ａ）及び（ｂ）の一部の拡大図。
【図３】図２（ｃ）の一部の拡大図。
【図４】上記実施形態で用いたクリップ金具の斜視図。
【図５】上記実施形態で用いた回動防止金具の斜視図。
【図６】（ａ）及び（ｂ）はそれぞれ本発明による壁パネル取付構造の他の実施形態を示す横断平面図。
【図７】本発明による壁パネル取付構造の更に他の実施形態を示す縦断面図。
【発明を実施するための形態】
【００１５】
以下、本発明による壁パネルの取付構造を、図に示す実施形態に基づいて具体的に説明する。
【００１６】
図１〜図３に示す実施形態は、ＡＬＣよりなる長方形の壁パネルＰを横長に配置して横方向に隣り合う壁パネルＰ・Ｐの隣接する端部を、構造躯体としてのＨ型鋼よりなる間柱Ｆのフランジ部Ｆａに、それぞれクリップ金具１を介して取付けると共に、そのクリップ金具１と壁パネルＰとの間に回動防止金具２を介在させたものである。
【００１７】
上記クリップ金具１は、本実施形態においては図４に示すように長手方向ほぼ中央部に段差部１ｄを有する略イナズマ状に形成され、その一端１ａ側にボルト挿通孔１ｃを設けた構成である。そのボルト挿通孔１ｃは図の場合は長孔状に形成されている。図中、１ｅはクリップ金具１の長手方向（図２で左右方向）に設けた断面略逆Ｖ字形の補強リブで、上記クリップ金具１の幅方向（図２（ｂ）で上下方向）に複数条（図の場合は２条）設けられている。上記ボルト挿通孔１ｃに、図２及び図３に示すように取付用のボルト３を挿通して上記クリップ金具１を壁パネルＰの内面（間柱Ｆ側の面）に取付け、そのクリップ金具１のボルト挿通孔１ｃ側と反対側の端部１ｂと上記壁パネルＰとの間に、間柱Ｆのフランジ部Ｆａを挟むことによって、上記各壁パネルＰを間柱Ｆに取付け支持させる構成である。
【００１８】
なお、図２及び図３において、４は上記各壁パネルＰの端部に形成した孔ｈ内に挿入した筒状のアンカーで、そのアンカー４の長手方向ほぼ中央部に形成した雌ねじ孔（不図示）に上記ボルト３の先端雄ねじ部をねじ込んだ構成であるが、上記ボルト３は上記各壁パネルＰ内に予め埋設したインサートナット等にねじ込むようにしてもよい。また上記ボルト３は図の場合は頭付きボルトを用いたが、その代わりに棒状のボルトにナットをねじ込んだ構成、或いはアイボルトにナットをねじ込んだ構成等であってもよい。
【００１９】
上記回動防止金具２は、本実施形態においては図５に示すように基板部２ａと、その基板部２ａの幅方向（図２（ｂ）で上下方向）両側をほぼ直角に折り曲げて形成した対向片２ｂ・２ｂとからなる横断面コ字形に形成され、その基板部２ａに上記のボルト３を挿通するためのボルト挿通孔２ｃを設けた構成である。そのボルト挿通孔２ｃは、図の場合は長孔状に形成され、その長手方向一端側（図５で右側）は略Ｕ字状に閉じられ、他端側（図５で右側）は回動防止金具２の縁部まで延長して開放された構成であるが、長手方向両端部が略Ｕ字状に閉じられた構成であってもよい。
【００２０】
上記回動防止金具２の各部の寸法は適宜であるが、本実施形態においては、上記対向片２ｂ・２ｂの間隔は、その間に、図２及び図３に示すようにクリップ金具１がほぼ丁度嵌る大きさに形成されている。また回動防止金具２の長さ（図２で左右方向の寸法）は、クリップ金具１の長さ（図上）よりもやや短く、かつクリップ金具１の段差部１ｄからボルト挿通孔１ｅ側の端部１ａに至る長さよりもやや長く形成されている。さらに上記各対向片２ｂの高さ（図５で上下方向の寸法）は、上記クリップ金具１の補強リブ１ｃを除く厚さ寸法よりも高く、かつ補強リブ１ｃを含む厚さ寸法よりも低く形成されている。
【００２１】
図２及び図３において、５は上記回動防止金具２を壁パネルＰに回り止め固定するための固定具で、その固定具５として本実施形態においては図５に示すようにカットネイルを用いたもので、そのカットネイルよりなる固定具５を回動防止金具２の基板部２ａに形成した固定具挿通孔２ｄ（図５参照）から図２及び図３に示すように壁パネルＰ内にハンマー等で打ち込むことによって、上記回動防止金具２を壁パネルＰに対して回り止め固定した構成である。図１〜図３において、６ａは横方向に隣り合う壁パネルＰ・Ｐ間に介在させた縦目地シール、６ｂは上下方向に隣り合う壁パネルＰ・Ｐ間に介在させた横目地シールである。
【００２２】
上記のように構成された壁パネルの取付構造を施工する際の手順等は適宜であるか、例えば横方向に隣り合う壁パネルＰ・Ｐを、その横方向一端側から順に上記構造躯体としての間柱Ｆに取付ければよく、その際、取付けるべき壁パネルＰの両端部に予めアンカーを挿入するための孔ｈを形成して、その孔ｈ内にアンカー４を挿入した状態で、上記壁パネルＰを所定の取付位置に配置する。或いは上記アンカー４に予めボルト３を介して回動防止金具２およびクリップ金具１を仮組した状態で上記壁パネルＰを所定の取付位置に配置してもよい。
【００２３】
次いで、上記回動防止金具２およびクリップ金具１を所定の位置に配置して、そのクリップ金具１のボルト挿通孔１ｅと反対側の端部１ｂと、壁パネルＰとの間に、間柱Ｆのフランジ部Ｆａを挟む。また上記回動防止金具２に形成した固定具挿通孔２ｄから壁パネルＰ内に固定具５をハンマー等で打ち込んで回動防止金具２を回り止め固定するもので、そのとき、回動防止金具２の間柱Ｆ側の端部を、その間柱Ｆ、図の場合はフランジ部Ｆａに当接させた状態で回り止め固定すると、回動防止金具２を更に確実に回り止め固定することができる。
【００２４】
そして上記のようにしてクリップ金具１と壁パネルＰとの間にフランジ部Ｆａを挟み、回動防止金具２を回り止め固定したところで、ボルト３をアンカー４の雌ねじ孔にねじ込むことによって、上記クリップ金具１および回動防止金具２を壁パネルＰの内面に締め付け固定する。それによって、上記壁パネルＰを構造躯体としての間柱Ｆに取付けることができるもので、上記壁パネルＰの他端側および他の壁パネルについても上記と同様の要領で横方向に順に取付けて行けばよい。また壁パネルＰを上下方向に多段に取付ける場合には、下から順に取付けて行けばよい。
【００２５】
なお、上記実施形態のようにクリップ金具１のボルト挿通孔１ｃおよび回動防止金具２のボルト挿通孔２ｃを長孔にすると、アンカー４の埋設位置やボルト３の挿入位置に多少のずれが生じてもクリップ金具１および回動防止金具２を所定の位置に取付けることができる。また回動防止金具２のボルト挿通孔２ｃを、その一端側が開放されたＵ字状に形成すると、クリップ金具１をボルト３で壁パネルＰに取付けてから、或いは仮組してからでも、クリップ金具１と壁パネルＰとの間に挿入することができる。
【００２６】
また上記クリップ金具１と壁パネルＰとの間にフランジ部Ｆａを挟んだ状態で上記ボルト３を締め付け固定したときの上記クリップ金具１のフランジ部Ｆａに対する重なり代Ｌ（図２（ａ）参照）の寸法は適宜であるが、あまり少ないと安定性・信頼性に欠けるおそれがあり、あまり多いとクリップ金具１および回動防止金具２が大形化して重量やコストが増大するので、約３０〜４０ｍｍの範囲内とするのが望ましい。さらに上記実施形態は、回動防止金具２を壁パネルＰに回り止め固定する固定具５としてカットネイルを用いたが、通常の釘やねじ、その他各種の固定具が使用可能である。
【００２７】
上記のように本発明による壁パネルの取付構造は、クリップ金具１と壁パネルＰとの間に断面コ字形の回動防止金具２を配置し、その回動防止金具２の対向片２ｂ・２ｂ間にクリップ金具１を位置させた状態で、回動防止金具２とクリップ金具１とを、それらを貫通するボルト３で壁パネルＰに取付けると共に、回動防止金具２を壁パネルＰに回り止め固定するようにしたから、前記従来のようにアングル材と壁パネルとの間に回動防止金具を介在させる場合のように、壁パネルを上記アングル材等のパネル支持板の近傍の所定の取付位置に配置する際に回動防止金具が邪魔になったり、パネル設置後に回動防止金具の取付けが困難になるようなことがなく、壁パネルＰを所定の取付位置に配置してからでも上記回動防止金具２を設置することができる。
【００２８】
また本発明は回動防止金具２を、それが当接する壁パネルＰに固定具５で回り止め固定するようにしたから、前記従来の回動防止金具のようにアングル材に弾性片や係止片で固定したり、その回動防止金具に設けた回転阻止片でクリップ金具の回動を防止するものに比べ構成が簡単であり、特に図の実施形態においては回動防止金具２に形成した固定具挿通孔２ｄから壁パネルＰ内に固定具５を打ち込むだけで回動防止金具を極めて簡単かつ確実に回り止め固定することができる。
【００２９】
また本発明は、回動防止金具２を壁パネルＰに回り止め固定する構成であるから、前記従来の回動防止金具をアングル材に係合保持させる場合のようにパネル支持板の大きさや構造躯体の種類等によって取付不能になるようなことがなく、パネル支持板の大きさや構造躯体の構成、および構造躯体に取付けたパネル支持板の構成および大きさ形状等に拘わらず壁パネルＰを取付けることができる。上記図１〜図３の実施形態はＨ型鋼よりなる構造躯体Ｆのフランジ部Ｆａに壁パネルＰを取付けた構成であるが、上記以外にも例えばＩ型鋼や山型鋼などよりなる構造躯体に壁パネルＰを取付ける場合にも適用可能である。
【００３０】
また図６は構造躯体Ｆに取付けたアングル材等のパネル支持板に壁パネルを取付ける場合の一例を示すもので、同図（ａ）は角管状の柱よりなる構造躯体Ｆに補助金具７を介して一対のアングル材よりなるパネル支持板８・８をそれぞれ溶接等で取付け、そのパネル支持板８・８に前記と同様の要領で壁パネルＰを取付けた例、同図（ｂ）は上記のような角管状の柱よりなる構造躯体Ｆに上記と同様のパネル支持板８・８を直接溶接等で取付け、そパネル支持板８・８に前記と同様の要領で壁パネルＰを取付けた例である。なお、上記のような型鋼材よりなる構造躯体Ｆのフランジ部Ｆａよりも通常薄手のパネル支持板８等をクリップ金具１と壁パネルＰとの間に挟む場合、上記パネル支持板８等の厚さに応じてクリップ金具１の段差部１ｄの高さＨ（図４参照）を変更することができる。
【００３１】
さらに上記各実施形態は、長方形の壁パネルを横長に配置して構造躯体に取付ける、いわゆる横張りの場合を例示したが、長方形の壁パネルを縦長に配置して取付ける、いわゆる縦張りの場合にも上記とほぼ同様の要領で壁パネルを取付けることができる。図７はその一例を示すもので、構造躯体ＦとしてのＩ型鋼よりなる梁材の下側にアングル材よりなるパネル支持板８を溶接等で取付け、そのパネル支持板８に前記とほぼ同様の要領で壁パネルＰを取付けたものである。上記図６及び図７の場合にも前記と同様の作用効果が得られる。
【産業上の利用可能性】
【００３２】
以上のように本発明による壁パネルの取付構造によれば、壁パネルを所定の取付位置に配置する際に回動防止金具が邪魔になったり、パネル設置後に回動防止金具の取付けが困難になるようなことがなく、壁パネルを所定の取付位置に配置してからでも上記回動防止金具を設置することができる。また回動防止金具を壁パネルに固定具で回り止め固定する構成であるから、構造躯体やパネル支持板の大きさの如何に拘わらず、クリップ金具および回動防止金具を簡単・確実に回り止め固定することが可能となり、耐久性および信頼性の高い壁パネル取付構造を容易・安価に提供できると共に、産業上も有効に利用することができるものである。
【符号の説明】
【００３３】
１  クリップ金具
１ａ、１ｂ端部
１ｃ  ボルト挿通孔
１ｄ  段差部
１ｅ  補強リブ
２  回動防止金具
２ａ  基板部
２ｂ  対向片
２ｃ  ボルト挿通孔
２ｄ  固定具挿通孔
２ｅ  突起
３  ボルト
４  アンカー
５  固定具
６ａ  縦目地シール
６ｂ  横目地シール
７  補助金具
８  パネル支持板
Ｐ  壁パネル
Ｆ  柱（構造躯体）
Ｆａ  フランジ部
ｈ  アンカー挿入孔
【図１】
2010180541.tif 000003
【図２】
2010180541.tif 000004
【図３】
2010180541.tif 000005
【図４】
2010180541.tif 000006
【図５】
2010180541.tif 000007
【図６】
2010180541.tif 000008
【図７】
2010180541.tif 000009